(57)【要約】      （修正有）【課題】特に流し用ゴミカゴや三角コーナーに用いて生ゴミを処理する脱落防止機能を備えた水切りネットを提供する。【解決手段】脱落防止機能を備えた水切りネットは、延展性及び弾性を備える材質からなり、上部に開口が形成され、下縁部近傍に封止部１１が横断するように設けられると共に、上縁部の開口近傍の両側にそれぞれ２つ以上の締付け部１２が設けられる本体１０からなるものを提供する。【選択図】図１
0003198040.tif 000002
【実用新案登録請求の範囲】
【請求項１】
延展性及び弾性を備える材質からなり、上部に開口が形成され、下縁部近傍に封止部が横断するように設けられると共に、上縁部の開口近傍の両側にそれぞれ２つ以上の締付け部が設けられる本体からなることを特徴とする脱落防止機能を備えた水切りネット。
【請求項２】
前記各締付け部は、細長状を呈し、本体の一側から内側へ伸びるように設けられることを特徴とする請求項１に記載の脱落防止機能を備えた水切りネット。
【請求項３】
前記本体の開口と、該本体１０の両側における、開口と最も近い締付け部の距離が１５ｍｍであることを特徴とする請求項２に記載の脱落防止機能を備えた水切りネット。
【請求項４】
前記各締付け部の幅が５ｍｍであることを特徴とする請求項３に記載の脱落防止機能を備えた水切りネット。
【請求項５】
前記本体の同一側の２つの締付け部の距離が５ｍｍであることを特徴とする請求項４に記載の脱落防止機能を備えた水切りネット。
【請求項６】
前記締付け部の長さが２０ｍｍであることを特徴とする請求項５に記載の脱落防止機能を備えた水切りネット。
【請求項７】
前記封止部は、細長状を呈し、本体を横断するように設けられることを特徴とする請求項６に記載の脱落防止機能を備えた水切りネット。
【請求項８】
前記本体の相対する両側にそれぞれ２つの締付け部が設けられることを特徴とする請求項１乃至７の何れか１項に記載の脱落防止機能を備えた水切りネット。
【請求項９】
前記本体の相対する両側にそれぞれ３つの締付け部が設けられることを特徴とする請求項１乃至７の何れか１項に記載の脱落防止機能を備えた水切りネット。
【考案の詳細な説明】
【技術分野】
【０００１】
本考案は、特に流し用ゴミカゴや三角コーナーに用いて生ゴミを処理する脱落防止機能を備えた水切りネットに関するものである。
【背景技術】
【０００２】
水切りネットは通常、流し用ゴミカゴや三角コーナーに掛けて、生ゴミがたまったら、水を切って生ゴミを処理するものである。既存の流し用ゴミカゴや三角コーナーは、元々水切りの効果を有するが、その濾過穴が大きすぎて細かいゴミを留まらせることができないので、排水管に流入して溜まることにより、生ゴミの悪臭や、細菌、虫などの発生を引き起こし、排水管の詰まりの原因にもなっていた。
【０００３】
前記問題を解決するために、その後当業者が、脱落防止機能を備えた水切りネットを案出した。図５及び図６に示すように、その既存の脱落防止機能を備えた水切りネット５０は、ポリエチレン（ＰＥ）や、ポリプロピレン（ＰＰ）、ポリエチレンテレフタレート（ＰＥＴ）などの延展性を備える材質からなり、上部に開口が形成され、底縁近傍に締付け部５１が熱接着手段により横断するように形成され、開口近傍の両側にそれぞれ封止部５２が熱接着手段によって形成され、それらの封止部５２の距離Ｗ２は開口の幅Ｗ１より狭く設定されている。
【０００４】
既存の脱落防止機能を備えた水切りネットは、網目により細かいゴミを留まらせるので、排水管の詰まりを防止でき、また、既存の水切りネットは、延展性を備えることから、ゴミカゴに被せて使用する時、その開口を展開しながらゴミカゴの上縁で折り返して掛止することができ、さらに、両側の封止部５２の距離Ｗ２が開口の幅Ｗ１より狭いので、それらの封止部５２によりゴミカゴに締め付けて脱落しないように位置決める。
【考案の概要】
【考案が解決しようとする課題】
【０００５】
しかしながら、既存の脱落防止機能を備えた水切りネットは、その封止部５２により通常サイズのゴミカゴから脱落しないように掛合することはできるが、ゴミカゴの開口がより広い場合には、封止部５２を展開しても取り付けることができなく、封止部５２が破れてしまうなどの問題もあることから、改良する必要があった。
【課題を解決するための手段】
【０００６】
本考案に係る脱落防止機能を備えた水切りネットは、延展性及び弾性を備える材質からなり、上部に開口が形成され、下縁部近傍に封止部が横断するように設けられると共に、上縁部の開口近傍の両側にそれぞれ２つ以上の締付け部が設けられる本体からなるものである。
【０００７】
かかる脱落防止機能を備えた水切りネットにおいて、前記各締付け部は、細長状を呈し、本体の一側から内側へ伸びるように設けられることが好ましい。
【０００８】
かかる脱落防止機能を備えた水切りネットにおいて、前記本体の開口と、該本体１０の両側における、開口と最も近い締付け部の距離が１５ｍｍであることが好ましい。
【０００９】
かかる脱落防止機能を備えた水切りネットにおいて、前記各締付け部の幅が５ｍｍであることが好ましい。
【００１０】
かかる脱落防止機能を備えた水切りネットにおいて、前記本体の同一側の２つの締付け部の距離が５ｍｍであることが好ましい。
【００１１】
かかる脱落防止機能を備えた水切りネットにおいて、前記締付け部の長さが２０ｍｍであることが好ましい。
【００１２】
かかる脱落防止機能を備えた水切りネットにおいて、前記封止部は、細長状を呈し、本体を横断するように設けられることが好ましい。
【００１３】
かかる脱落防止機能を備えた水切りネットにおいて、前記本体の相対する両側にそれぞれ２つの締付け部が設けられることが好ましい。
【００１４】
かかる脱落防止機能を備えた水切りネットにおいて、前記本体の相対する両側にそれぞれ３つの締付け部が設けられることが好ましい。
【考案の効果】
【００１５】
本考案に係る脱落防止機能を備えた水切りネットは、本体の開口近傍の両側にそれぞれ、設接着手段により２つ以上の締付け部が設けられることから、既存の脱落防止機能を備えた水切りネットに比べると、ゴミカゴの上縁下側へのを締付け効果が向上すると共に、本体の開口を展開させて折り返す時にも、締付け部が丈夫であるので、破れ難い。このように、本考案に係る脱落防止機能を備えた水切りネットは、如何なる形状、タイプ、寸法のゴミカゴや三角コーナーであっても、取り付け易く、実用性も高い。
【図面の簡単な説明】
【００１６】
【図１】本考案に係る脱落防止機能を備えた水切りネットの第一実施例の平面図である。
【図２】本考案に係る脱落防止機能を備えた水切りネットの第二実施例の平面図である。
【図３】図１の脱落防止機能を備えた水切りネットをゴミカゴに取り付けた状態を示す断面図である。
【図４】図２の脱落防止機能を備えた水切りネットをゴミカゴに取り付けた状態を示す断面図である。
【図５】既存の脱落防止機能を備えた水切りネットの平面図である。
【図６】既存の脱落防止機能を備えた水切りネットをゴミカゴに取り付けた状態を示す断面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１及び図２に示すように、本考案に係る脱落防止機能を備えた水切りネットは、矩形且つ袋状を呈する本体１０を有し、該本体１０は、延展性及び弾性を備える材質からなり、上部に開口が形成されると共に、表面に複数の網目が形成され、また、該本体１０の下縁部近傍に封止部１１が横断するように細長状に設けられると共に、該本体１０の上縁部の開口近傍の相対する両側にそれぞれ、熱圧接着手段によりなる複数の締付け部１２が設けられる。
【００１９】
図１に示すように、本考案に係る脱落防止機能を備えた水切りネットの第一実施例では、本体１０の開口近傍の両側にそれぞれ２つの締付け部１２が設けられ、該各締付け部１２は、細長状を呈し、一側から他側へ横方向に伸び、縦方向の幅が５ｍｍであり、横方向の長さが２０ｍｍであり、一方、同一側の２つの締付け部１２の間の距離が５ｍｍであり、両側における、開口と最も近い締付け部１２と開口の間の距離が１５ｍｍである。
【００２０】
図２に示すように、本考案に係る脱落防止機能を備えた水切りネットの第二実施例は、殆ど第一実施例と同一であるが、本体１０の開口近傍の両側にそれぞれ３つの締付け部１２が設けられる点において異なる。
【００２１】
図３及び図４に示すように、本考案の第一実施例及び第二実施例の脱落防止機能を備えた水切りネットを使用する時は、使用者が本体１０をゴミカゴ６０に入れた後、本体１０の開口を展開さえながら折り返し、開口両側の締付け部１２によりゴミカゴ６０の上縁下側に対して締付けて位置決めることにより、ゴミカゴに水切りネットを装着させる。また、その本体１０は延展性を備えると共に、本体１０の両側の締付け部１２の間の距離Ｗ２を開口の距離Ｗ１より短くすることにより、本体１０を一時的に展開してゴミカゴ６０に掛けると、その締め付け部１２が弾性によりゴミカゴ６０の上縁下側を締め付けて固定することができる。さらに、その締付け部１２の数量が多ければ多いほど、ゴミカゴ６０の上縁下側に対する締付け効果も向上する。
【００２２】
尚、本考案に係る脱落防止機能を備えた水切りネットの締付け部１２は、細長状を呈するだけでなく、複数の点状構造または他の形状の構造を用いて間隔をおいて配列してもよく、即ち、ゴミカゴ６０に装着する時に、ゴミカゴ６０の上縁下側を締付られる構成であればよい。
【００２３】
本考案に係る脱落防止機能を備えた水切りネットは、本体１０の開口近傍の両側にそれぞれ２つ以上の締付け部１２が設けられることから、既存の脱落防止機能を備えた水切りネットに比べると、ゴミカゴ６０の上縁下側への締付け効果が高いと共に、本体１０の開口を展開しながら折り返す時にも締付け部１２が丈夫であるので、破れ難い。故に、本考案に係る脱落防止機能を備えた水切りネットは、如何なる形状や、タイプ、寸法のゴミカゴまたは三角コーナーであっても、使い易く、実用性も高い。
【符号の説明】
【００２４】
１０   本体
１１   封止部
１２   締付け部
６０   ゴミカゴ
Ｗ１   距離
Ｗ２   距離
５０   脱落防止機能を備えた水切りネット
５１   締付け部
５２   封止部
【図１】
0003198040.tif 000003
【図２】
0003198040.tif 000004
【図３】
0003198040.tif 000005
【図４】
0003198040.tif 000006
【図５】
0003198040.tif 000007
【図６】
0003198040.tif 000008